(57)【要約】【課題】  ジョブの処理の能力を従来より向上することができる画像形成装置を提供する。【解決手段】  複合機は、画像の処理に使用される画像メモリと、画像メモリにおいて複数の役割に対して領域を割り当てるメモリ管理部４５と、メモリ管理部４５によって割り当てられた領域を使用してジョブを処理するジョブ制御部３７と、画像メモリの領域の配分である領域配分の指示を受け付ける情報設定参照サービス３５とを備えており、メモリ管理部４５は、情報設定参照サービス３５によって受け付けられた領域配分に基づいて画像メモリの領域を割り当てることを特徴とする。【選択図】  図２
2011188266.tif 000002
【特許請求の範囲】
【請求項１】
画像の処理に使用される画像メモリと、前記画像メモリにおいて複数の役割に対して領域を割り当てる領域割当手段と、前記領域割当手段によって割り当てられた前記領域を使用してジョブを処理するジョブ処理手段と、前記画像メモリにおける前記領域の配分の指示を受け付ける配分受付手段とを備えており、
前記領域割当手段は、前記配分受付手段によって受け付けられた前記配分に基づいて前記領域を割り当てることを特徴とする画像形成装置。
【請求項２】
前記指示は、前記配分の異なる複数のモードにおける１つのモードの選択であることを特徴とする請求項１に記載の画像形成装置。
【発明の詳細な説明】
【技術分野】
【０００１】
本発明は、ジョブの処理を制御することができる画像形成装置に関する。
【背景技術】
【０００２】
従来、ジョブの処理を制御することができる画像形成装置として、ジョブを生成したサービスに応じてジョブの処理の優先度を変えることができ、この優先度をどのように変えるかを利用者の希望に沿って設定することができるデジタルコピーシステムが知られている（例えば、特許文献１、２参照。）。
【先行技術文献】
【特許文献】
【０００３】
【特許文献１】特開平１０−２８９０７４号公報
【特許文献２】特開平１０−３２０１５６号公報
【発明の概要】
【発明が解決しようとする課題】
【０００４】
しかしながら、従来のデジタルコピーシステムは、利用者の指示に応じてジョブの処理の順番を制御しているのみであり、ジョブの処理の能力自体に変化がない。
【０００５】
そこで、本発明は、ジョブの処理の能力を従来より向上することができる画像形成装置を提供することを目的とする。
【課題を解決するための手段】
【０００６】
本発明の画像形成装置は、画像の処理に使用される画像メモリと、前記画像メモリにおいて複数の役割に対して領域を割り当てる領域割当手段と、前記領域割当手段によって割り当てられた前記領域を使用してジョブを処理するジョブ処理手段と、前記画像メモリにおける前記領域の配分の指示を受け付ける配分受付手段とを備えており、前記領域割当手段は、前記配分受付手段によって受け付けられた前記配分に基づいて前記領域を割り当てることを特徴とする。
【０００７】
この構成により、本発明の画像形成装置は、画像メモリにおいて複数の役割に対して割り当てられる領域の配分を利用者の指示に応じて変更するので、ジョブの処理の能力をジョブの種類に応じて変更することができる。したがって、本発明の画像形成装置は、ジョブの処理の能力を従来より向上することができる。
【０００８】
本発明の画像形成装置の前記指示は、前記配分の異なる複数のモードにおける１つのモードの選択であることが好ましい。
【０００９】
この構成により、本発明の画像形成装置は、画像メモリの領域の配分自体を利用者に具体的に数値によって指示させる構成と比較して、利便性を向上することができる。
【発明の効果】
【００１０】
本発明の画像形成装置は、ジョブの処理の能力を従来より向上することができる。
【図面の簡単な説明】
【００１１】
【図１】本発明の一実施の形態に係る複合機のブロック図である。
【図２】図１に示す制御部の機能を説明するためのブロック図である。
【図３】（ａ）は、図２に示すジョブ制御部が並行動作優先モードで動作するときの画像メモリの領域の配分を示す図である。（ｂ）は、図２に示すジョブ制御部がプリンタ優先モードで動作するときの画像メモリの領域の配分を示す図である。
【図４】（ａ）は、図２に示すジョブ制御部がＦＡＸ優先モードで動作するときの画像メモリの領域の配分を示す図である。（ｂ）は、図２に示すジョブ制御部が読み込み優先モードで動作するときの画像メモリの領域の配分を示す図である。
【図５】ジョブ制御モードを変更するときの図１に示す制御部の動作のフローチャートである。
【図６】図１に示す表示部に表示されるジョブ制御モード選択画面を示す図である。
【図７】システムが再起動されたときの図１に示す制御部の動作のフローチャートである。
【発明を実施するための形態】
【００１２】
以下、本発明の一実施の形態について、図面を用いて説明する。
【００１３】
まず、本実施の形態に係る画像形成装置としての複合機の構成について説明する。
【００１４】
図１は、本実施の形態に係る複合機１０のブロック図である。
【００１５】
図１に示すように、複合機１０は、複合機１０全体を制御する制御部１１と、種々の情報を記憶する補助記憶装置１２と、種々の情報を表示する図示していない操作パネル上の表示部１３と、利用者によって種々の操作が入力される操作パネル上の操作部１４と、原稿を読み込んで画像データを生成する読込デバイスであるスキャナ部１５と、用紙に印刷を実行するプリンタ部１６と、図示していない外部のファクシミリ装置と公衆電話回線などの通信回線を介してＦＡＸ通信を行うためのＦＡＸ通信部１７と、ＰＣ（Ｐｅｒｓｏｎａｌ  Ｃｏｍｐｕｔｅｒ）などの図示していない外部の装置とＬＡＮ（Ｌｏｃａｌ  Ａｒｅａ  Ｎｅｔｗｏｒｋ）などのネットワークを介して通信を行うためのネットワーク通信部１８とを備えている。
【００１６】
制御部１１は、ＣＰＵ（Ｃｅｎｔｒａｌ  Ｐｒｏｃｅｓｓｉｎｇ  Ｕｎｉｔ）１１ａと、プログラムおよび各種のデータを予め記憶しているＲＯＭ(Ｒｅａｄ  Ｏｎｌｙ  Ｍｅｍｏｒｙ)１１ｂと、ＣＰＵ１１ａの作業領域として用いられるＲＡＭ(Ｒａｎｄｏｍ  Ａｃｃｅｓｓ  Ｍｅｍｏｒｙ)１１ｃとを備えている。ＣＰＵ１１ａは、ＲＯＭ１１ｂに記憶されているプログラムを実行することによって制御部１１を動作させる演算処理装置である。ＲＡＭ１１ｃは、ＣＰＵ１１ａによってプログラムが実行されるときにプログラムや各種のデータを一時的に記憶するようになっている。ＲＡＭ１１ｃには、画像の処理に使用される画像メモリ１１ｄが確保されるようになっている。
【００１７】
補助記憶装置１２は、例えばＨＤＤ（Ｈａｒｄ  Ｄｉｓｋ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである。
【００１８】
表示部１３は、例えばＬＣＤ(Ｌｉｑｕｉｄ  Ｃｒｙｓｔａｌ  Ｄｉｓｐｌａｙ)などの表示デバイスである。
【００１９】
操作部１４は、例えば、表示部１３とともにタッチパネルを形成するボタンや、操作パネル上のボタンなどの入力デバイスである。
【００２０】
プリンタ部１６は、例えば、スキャナ部１５によって生成された画像データのジョブや、外部のファクシミリ装置からＦＡＸ通信部１７を介してＦＡＸ受信されたＦＡＸのジョブや、外部の装置からネットワーク通信部１８を介して受信された印刷データのジョブなどの各種のジョブを印刷する印刷デバイスである。
【００２１】
ＦＡＸ通信部１７は、例えば、スキャナ部１５によって生成された画像データを外部のファクシミリ装置にＦＡＸ送信したり、プリンタ部１６で印刷されるための画像データを外部のファクシミリ装置からＦＡＸ受信したりする。
【００２２】
ネットワーク通信部１８は、例えば、スキャナ部１５によって生成された画像データを外部の装置に送信したり、プリンタ部１６で印刷されるための印刷データを外部の装置から受信したりする。
【００２３】
図２は、制御部１１の機能を説明するためのブロック図である。
【００２４】
制御部１１は、ＲＯＭ１１ｂに記憶されているプログラムをＣＰＵ１１ａが実行することによって、図２に示す各種のモジュールとして機能するようになっている。
【００２５】
つまり、制御部１１は、印刷の要求、コピーの要求、ＦＡＸ送信の要求、複合機１０の設定の変更の要求などの利用者の要求を受け付けるインターフェースモジュールであるサービス要求受付部３１として機能するようになっている。
【００２６】
また、制御部１１は、印刷やコピーなどの画像処理を伴うサービスをサービス要求受付部３１からの要求に従って提供するモジュールである画像処理サービス３２と、ジョブの完了の通知や複合機１０の状態の変化を複合機１０の外部に通知するサービスをサービス要求受付部３１からの要求に従って提供するモジュールである通知サービス３３と、画質の調整、初期化処理、複合機１０の再起動といった、複合機１０のメーカーやサービスマンが実行するサービスをサービス要求受付部３１からの要求に従って提供するモジュールであるメンテナンスサービス３４と、複合機１０の設定値、ジョブの設定値などの各種の設定値を参照および設定するサービスをサービス要求受付部３１からの要求に従って提供するモジュールである情報設定参照サービス３５として機能するようになっている。
【００２７】
また、制御部１１は、画像処理サービス３２からの要求に従ってジョブを起動し、起動したジョブを管理するモジュールであるジョブ管理部３６と、ジョブの実行に必要な１つ以上の基本ジョブとその実行順を含む情報であるジョブシナリオをジョブ管理部３６からの要求に従って作成し、作成したジョブシナリオに基づいた制御を行うモジュールであるジョブ制御部３７として機能するようになっている。
【００２８】
また、制御部１１は、画像処理を行うためのデータの入力をジョブ制御部３７からの要求に従って行うモジュールである入力部３８と、補助記憶装置１２に記憶されている文書に対して拡大、縮小、回転などの編集をジョブ制御部３７からの要求に従って行うモジュールである編集部３９と、画像処理が行われたデータの出力をジョブ制御部３７からの要求に従って行うモジュールである出力部４０として機能するようになっている。
【００２９】
また、制御部１１は、入力部３８からの要求に従ってスキャナ部１５を制御するモジュールであるスキャナ制御部４１と、出力部４０からの要求に従ってプリンタ部１６を制御するモジュールであるプリンタ制御部４２と、入力部３８または出力部４０からの要求に従ってＦＡＸ通信部１７を制御するモジュールであるＦＡＸ制御部４３と、入力部３８または出力部４０からの要求に従ってネットワーク通信部１８を制御するモジュールである通信制御部４４として機能するようになっている。
【００３０】
また、制御部１１は、画像処理が行われる上での画像メモリ１１ｄの領域をジョブ制御部３７からの要求に従って管理するモジュールであるメモリ管理部４５として機能するようになっている。
【００３１】
なお、ジョブシナリオとは、上述したように、１つ以上の基本ジョブとその実行順を含む情報である。例えば、コピーのジョブシナリオは、スキャナ部１５によって読み込ませた画像データを補助記憶装置１２に記憶させるＳｃａｎＴｏＢｏｘという基本ジョブと、補助記憶装置１２に記憶されている画像データをプリンタ部１６に印刷させるＢｏｘＴｏＰｒｉｎｔという基本ジョブと、ＳｃａｎＴｏＢｏｘを実行した後にＢｏｘＴｏＰｒｉｎｔを実行するという基本ジョブの実行順とを含む情報である。
【００３２】
メモリ管理部４５は、後述するように、画像メモリ１１ｄにおいて複数の役割に対して領域を割り当てるようになっており、本発明の領域割当手段を構成している。また、ジョブ制御部３７は、後述するように、メモリ管理部４５によって割り当てられた領域を使用してジョブを処理するようになっており、本発明のジョブ処理手段を構成している。また、情報設定参照サービス３５は、後述するように、画像メモリ１１ｄの領域の配分（以下「領域配分」という。）の指示を受け付けるようになっており、本発明の配分受付手段を構成している。
【００３３】
ジョブ制御部３７は、「並行動作優先モード」、「プリンタ優先モード」、「ＦＡＸ優先モード」、「読み込み優先モード」という４種類のモードでジョブを制御することができるようになっている。これらのジョブの制御のモード（以下「ジョブ制御モード」という。）の相違点は、領域配分が異なる点である。これらの領域配分は、例えばＲＯＭ１１ｂに記憶されている。
【００３４】
図３（ａ）は、ジョブ制御部３７が並行動作優先モードで動作するときの領域配分を示す図である。図３（ｂ）は、ジョブ制御部３７がプリンタ優先モードで動作するときの領域配分を示す図である。図４（ａ）は、ジョブ制御部３７がＦＡＸ優先モードで動作するときの領域配分を示す図である。図４（ｂ）は、ジョブ制御部３７が読み込み優先モードで動作するときの領域配分を示す図である。
【００３５】
「並行動作優先モード」は、全ての種類のジョブが平均的に動作するように画像メモリ１１ｄの領域が配分されたモードである。「並行動作優先モード」に対応する領域配分は、図３（ａ）に示す配分である。
【００３６】
図３（ａ）において、「スキャナワークメモリ」は、スキャナ部１５による読み込みに関する入力部３８の処理速度と、編集部３９または出力部４０の処理速度との速度差を吸収する役割のバッファメモリ領域である。入力部３８がスキャナ部１５によって画像を読み込む処理速度は、スキャナ部１５によって読み込まれた画像データを編集部３９が編集したり、出力部４０が補助記憶装置１２に記憶させたりする処理速度より速い。したがって、ジョブ制御部３７は、スキャナ部１５による読み込みを行う場合、スキャナワークメモリを入力部３８に使用させる必要がある。
【００３７】
「受信データ処理メモリ」は、ネットワーク通信部１８を介した受信に関する入力部３８の処理速度と、編集部３９または出力部４０の処理速度との速度差を吸収する役割のバッファメモリ領域である。入力部３８がネットワーク通信部１８によって外部の装置からデータを受信する処理速度は、ネットワーク通信部１８によって受信されたデータを編集部３９が編集したり、出力部４０が補助記憶装置１２に記憶させたりする処理速度より速い。したがって、ジョブ制御部３７は、ネットワーク通信部１８を介した受信を行う場合、受信データ処理メモリを入力部３８に使用させる必要がある。
【００３８】
「画像ロードメモリ」は、補助記憶装置１２に記憶されている文書を出力部４０がプリンタ部１６によって印刷したり、出力部４０がＦＡＸ通信部１７によって外部のファクシミリ装置にＦＡＸ送信したり、出力部４０がネットワーク通信部１８によって外部の装置に送信したりするために、入力部３８によってロードされた文書を記憶する役割のメモリ領域である。したがって、ジョブ制御部３７は、補助記憶装置１２に記憶されている文書を入力部３８にロードさせる場合、画像ロードメモリを入力部３８に使用させる必要がある。
【００３９】
「編集処理メモリ」は、入力部３８によって入力された画像データを編集部３９が回転したり、オーバーレイしたりして編集するときに、その画像データを記憶する役割のメモリ領域である。したがって、ジョブ制御部３７は、画像データを編集部３９に編集させる場合、編集処理メモリを編集部３９に使用させる必要がある。
【００４０】
「ビデオ出力画像用メモリ」は、出力部４０が描画データをイメージデータに変換し、印刷出力するときに、そのデータを記憶する役割のメモリ領域である。したがって、ジョブ制御部３７は、描画データを出力部４０に印刷出力させる場合、ビデオ出力画像用メモリを出力部４０に使用させる必要がある。
【００４１】
「プリンタ描画用メモリ」は、外部の装置から受信した印刷データを出力部４０がインタプリトして、描画データを生成するときに、そのデータを記憶する役割のメモリ領域である。したがって、ジョブ制御部３７は、印刷データを出力部４０にインタプリトさせる場合、プリンタ描画用メモリを出力部４０に使用させる必要がある。
【００４２】
「ＦＡＸ画像処理メモリ」は、入力部３８がＦＡＸ通信部１７によって外部のファクシミリ装置からデータをＦＡＸ受信したり、出力部４０がＦＡＸ通信部１７によって外部のファクシミリ装置にデータをＦＡＸ送信したりするときに、ＦＡＸ受信またはＦＡＸ送信を行うデータを記憶する役割のバッファメモリ領域である。したがって、ジョブ制御部３７は、ＦＡＸ受信またはＦＡＸ送信を行う場合、ＦＡＸ画像処理メモリを入力部３８または出力部４０に使用させる必要がある。
【００４３】
「送信画像処理メモリ」は、出力部４０がネットワーク通信部１８によって外部の装置にデータを送信するときに、送信するデータを記憶する役割のバッファメモリ領域である。したがって、ジョブ制御部３７は、ネットワーク通信部１８によって外部の装置にデータを送信する場合、送信画像処理メモリを出力部４０に使用させる必要がある。
【００４４】
「プリンタ優先モード」は、外部の装置から送信されてきた印刷データのプリンタ部１６による印刷を最優先で処理するモードである。「プリンタ優先モード」に対応する領域配分は、図３（ｂ）に示す配分である。図３（ｂ）に示す配分は、図３（ａ）に示す配分と比較して、外部の装置から送信されてきた印刷データのプリンタ部１６による印刷に関係する「受信データ処理メモリ」、「ビデオ出力画像用メモリ」および「プリンタ描画用メモリ」が多く割り当てられており、その分、外部の装置から送信されてきた印刷データのプリンタ部１６による印刷に関係しない「スキャナワークメモリ」、「画像ロードメモリ」、「ＦＡＸ画像処理メモリ」および「送信画像処理メモリ」が少なく割り当てられている。
【００４５】
「ＦＡＸ優先モード」は、ＦＡＸ通信部１７によるＦＡＸ送信およびＦＡＸ受信を最優先で処理するモードである。「ＦＡＸ優先モード」に対応する領域配分は、図４（ａ）に示す配分である。図４（ａ）に示す配分は、図３（ａ）に示す配分と比較して、ＦＡＸ通信部１７によるＦＡＸ送信に関係する「スキャナワークメモリ」および「画像ロードメモリ」や、ＦＡＸ通信部１７によるＦＡＸ送信およびＦＡＸ受信に関係する「編集処理メモリ」および「ＦＡＸ画像処理メモリ」が多く割り当てられており、その分、ＦＡＸ通信部１７によるＦＡＸ送信およびＦＡＸ受信に関係しない「受信データ処理メモリ」、「ビデオ出力画像用メモリ」、「プリンタ描画用メモリ」および「送信画像処理メモリ」が少なく割り当てられている。
【００４６】
「読み込み優先モード」は、スキャナ部１５による読み込みを最優先で処理するモードである。「読み込み優先モード」に対応する領域配分は、図４（ｂ）に示す配分である。図４（ｂ）に示す配分は、図３（ａ）に示す配分と比較して、スキャナ部１５による読み込みに関係する「スキャナワークメモリ」および「編集処理メモリ」が多く割り当てられており、その分、スキャナ部１５による読み込みに関係しない「受信データ処理メモリ」、「ビデオ出力画像用メモリ」および「プリンタ描画用メモリ」が少なく割り当てられている。
【００４７】
次に、複合機１０の動作について説明する。
【００４８】
利用者が操作部１４を介して複合機１０の制御部１１にジョブ制御モードの変更を要求すると、制御部１１は、図５に示す処理を開始する。
【００４９】
図５は、ジョブ制御モードを変更するときの制御部１１の動作のフローチャートである。
【００５０】
図５に示すように、制御部１１は、図６に示すジョブ制御モード選択画面を表示部１３に表示させる（Ｓ１０１）。より詳細に説明すると、制御部１１のサービス要求受付部３１は、ジョブ制御モードの変更の要求を受け付けると、ジョブ制御モードの変更を情報設定参照サービス３５に要求する。その結果、情報設定参照サービス３５は、図６に示すジョブ制御モード選択画面を表示部１３に表示させる。このように、情報設定参照サービス３５は、領域配分の指示を受け付けるようになっている。
【００５１】
図６は、表示部１３に表示されるジョブ制御モード選択画面を示す図である。
【００５２】
図６に示すように、ジョブ制御モード選択画面には、ジョブ制御モードとして「並行動作優先モード」を利用者に選択させるためのラジオボタン６１と、ジョブ制御モードとして「プリンタ優先モード」を利用者に選択させるためのラジオボタン６２と、ジョブ制御モードとして「ＦＡＸ優先モード」を利用者に選択させるためのラジオボタン６３と、ジョブ制御モードとして「読み込み優先モード」を利用者に選択させるためのラジオボタン６４と、ジョブ制御モードの選択を利用者に決定させるための決定ボタン６５とが含まれている。ラジオボタン６１〜６４は、常に１つのラジオボタンのみが選択されている状態になる。
【００５３】
図５に示すように、制御部１１は、Ｓ１０１の処理の後、操作部１４を介して決定ボタン６５が押されたと判断するまで、決定ボタン６５が押されたか否かを判断し続ける（Ｓ１０２）。
【００５４】
制御部１１は、決定ボタン６５が押されたとＳ１０２において判断すると、ラジオボタン６１〜６４のうち決定ボタン６５が押されたと判断したときに選択されていたラジオボタンに対応する領域配分を補助記憶装置１２に記憶させる（Ｓ１０３）。より詳細に説明すると、制御部１１のサービス要求受付部３１は、決定ボタン６５が押されたとＳ１０２において判断すると、決定ボタン６５が押されたことを情報設定参照サービス３５に通知する。決定ボタン６５が押されたことがサービス要求受付部３１から情報設定参照サービス３５に通知されると、情報設定参照サービス３５は、ラジオボタン６１〜６４のうち選択されているラジオボタンに対応するジョブ制御モードを判断し、そのジョブ制御モードに対応する領域配分の設定をメモリ管理部４５に要求する。そして、メモリ管理部４５は、情報設定参照サービス３５から要求された領域配分を補助記憶装置１２に記憶させる。
【００５５】
次いで、制御部１１は、複合機１０のシステムの再起動を開始して（Ｓ１０４）、図５に示す処理を終了する。
【００５６】
図７は、システムが再起動されたときの制御部１１の動作のフローチャートである。
【００５７】
図７に示すように、制御部１１のジョブ制御部３７は、Ｓ１０３において補助記憶装置１２に記憶させられた領域配分をメモリ管理部４５によって読み出し（Ｓ１２１）、読み出した領域配分で画像メモリ１１ｄにおける領域をメモリ管理部４５に割り当てさせて（Ｓ１２２）、図７に示す処理を終了する。このように、メモリ管理部４５は、情報設定参照サービス３５によって受け付けられた領域配分に基づいて、画像メモリ１１ｄにおいて複数の役割に対して領域を割り当てるようになっている。
【００５８】
そして、ジョブ制御部３７は、メモリ管理部４５によってＳ１２２において画像メモリ１１ｄ上に割り当てられた領域を使用してジョブを処理する。
【００５９】
以上に説明したように、複合機１０は、画像メモリ１１ｄにおいて複数の役割に対して割り当てられる領域配分を利用者の指示に応じて変更するので、ジョブの処理の能力をジョブの種類に応じて変更することができる。例えば、複合機１０は、外部の装置から送信されてきた印刷データのプリンタ部１６による印刷が多い使用環境では利用者によってジョブ制御モードが「プリンタ優先モード」に変更されるなど、ジョブの処理の能力を利用者の使用環境に適した能力に変更されることができる。したがって、複合機１０は、ジョブの処理の能力を従来より向上することができる。
【００６０】
また、複合機１０は、「並行動作優先モード」、「プリンタ優先モード」、「ＦＡＸ優先モード」、「読み込み優先モード」という領域配分の異なる複数のジョブ制御モードにおける１つのジョブ制御モードの選択によって利用者からの指示が実行されるようになっているので、領域配分自体を利用者に具体的に数値によって指示させる構成と比較して、利便性を向上することができる。
【００６１】
なお、上述した４種類のジョブ制御モードの領域配分は、一例に過ぎない。
【００６２】
また、上述した４種類のジョブ制御モードは、一例に過ぎない。複合機１０は、種々のジョブ制御モードによって利用者からの指示を受け付けることができる。
【００６３】
また、複合機１０は、ジョブ制御モードの選択によって領域配分を利用者に指示させるのではなく、領域配分自体を利用者に具体的に数値によって指示させるようになっていても良い。
【００６４】
また、複合機１０は、本実施の形態において、表示部１３および操作部１４によって利用者からの指示を受け付けるようになっていたが、種々のユーザーインターフェースによって利用者からの指示を受け付けるようになっていても良い。例えば、複合機１０は、外部の装置の表示部に表示させるジョブ制御モード選択画面のデータをネットワーク通信部１８を介して外部の装置に送信し、外部の装置の操作部によって利用者によって選択されたジョブ制御モードをネットワーク通信部１８を介して外部の装置から受信するようになっていても良い。
【００６５】
また、複合機１０は、本実施の形態において、領域配分の指示を利用者から受け付けると自動的に再起動するようになっていたが、自動的に再起動するようになっていなくても良い。例えば、複合機１０は、領域配分の指示を利用者から受け付けると、利用者に再起動を促すメッセージを表示部１３に表示するようになっていても良い。
【００６６】
また、複合機１０は、領域配分の指示を情報設定参照サービス３５によって受け付けるようになっているが、メンテナンスサービス３４によって受け付けるようになっていても良い。つまり、メンテナンスサービス３４は、領域配分の指示を受け付け、指示された領域配分の設定をメモリ管理部４５に要求する。この場合、メンテナンスサービス３４は、本発明の配分受付手段を構成することになる。
【００６７】
また、本発明の画像形成装置は、本実施の形態において複合機であるが、コピー機、プリンタなど、複合機以外の画像形成装置であっても良い。
【符号の説明】
【００６８】
１０  複合機（画像形成装置）
１１ｄ  画像メモリ
３４  メンテナンスサービス（配分受付手段）
３５  情報設定参照サービス（配分受付手段）
３７  ジョブ制御部（ジョブ処理手段）
４５  メモリ管理部（領域割当手段）
【図１】
2011188266.tif 000003
【図２】
2011188266.tif 000004
【図３】
2011188266.tif 000005
【図４】
2011188266.tif 000006
【図５】
2011188266.tif 000007
【図６】
2011188266.tif 000008
【図７】
2011188266.tif 000009